(57)【特許請求の範囲】
【請求項１】
空気を加熱するための加熱器と、加熱器で加熱された空気を吹き出すための送風機と、送風機からカバーの吹き出し口へ温風を導くための送風路とを備えた浴室暖房乾燥機本体を浴室の天井部に設置し、浴室暖房乾燥機本体の下面を覆うようにして天井の下面にカバーを配置された浴室暖房乾燥機において、
前記カバーに複数の開口部からなる空気吸込み口を設けると共に、それぞれの開口部の開閉状態を選択することによって前記空気吸込み口における開口比率の分布を調整可能とした浴室暖房乾燥機。
【請求項２】
前記開口部は、破り取ることのできる薄肉部によって塞がれていることを特徴とする、請求項１に記載の浴室暖房乾燥機。
【請求項３】
前記開口部を遮ることができる開閉可能な遮蔽板をそれぞれの前記開口部に設けて構成されていることを特徴とする、請求項１に記載の浴室暖房乾燥機。
【発明の詳細な説明】
【０００１】
【発明の属する技術分野】
本発明は、浴室暖房乾燥機に関し、具体的には、浴室内を暖房し、また浴室内に吊り下げられた洗濯物等を乾燥させるための天井取付型の浴室暖房乾燥機に関する。
【０００２】
【従来の技術】
温風を吹き出すことによって浴室内を暖房したり、浴室内に吊り下げられた洗濯物等を乾燥させるための浴室暖房乾燥機で、浴室の天井部に設置されたものが従来より用いられている。
【０００３】
従来の浴室暖房乾燥機の構造を図１の断面図に示す。この浴室暖房乾燥機１にあっては、浴室暖房乾燥機本体２が浴室の天井パネル３の上に設置されており、その下面にはフロントカバー４が取り付けられている。浴室暖房乾燥機本体２内には送風路５が取り付けられており、この送風路５内にはフロントカバー４の温風吹き出し口６から空気を吐出させるための送風ファン７と、送風ファン７によって温風吹き出し口６から吹き出される空気を加熱するための熱交換器８とが設けられている。
【０００４】
そして、この浴室暖房乾燥機１では、送風ファン７を運転して送風を開始すると、フロントカバー４の空気吸込み口９から空気が吸引され、熱交換器８で加熱された温風がフロントカバー４の温風吹き出し口６から吐出される。
【０００５】
【発明が解決しようとする課題】
上記のような浴室暖房乾燥機１では、フロントカバー４の空気吸込み口９は、図１に示すように均一に開口されていた。しかし、このような浴室暖房乾燥機１では、熱交換器８を通過する空気量は均一でなく、例えば図１に示すように熱交換器８を斜めに傾けて設置した浴室暖房乾燥機１では、熱交換器８の下部では風速が大きくて通過する空気量が多く、熱交換器８の上部では風速が小さくて通過する空気量が少なくなり、熱交換器８の熱交換効率が不均一になり、熱交換効率が低下していた。
【０００６】
また、従来の浴室暖房乾燥機では、フロントカバーの温風吹き出し口も単に開口されているだけであるか、せいぜい風向調整用のルーバー板が設けられているだけであった。このため、ルーバー板を設けられている浴室暖房乾燥機の場合には、浴室に吊した衣類等の乾燥を行うとき、衣類の吊されている方向へ温風を吹き出させるためにルーバー板の傾きを調整することはできる。しかし、大きな洗濯物と小さな洗濯物とが吊されている場合、小さな洗濯物は速く乾くが、大きな洗濯物は乾きにくかった。
【０００７】
本発明は、上記の従来例の問題点に鑑みてなされたものであり、その目的とするところは、浴室暖房乾燥機のカバーに設けられている空気の吸い込み口及び温風の吹き出し口の高機能化ないし合理化を図ることにより、上記のような問題点を解決することにある。また、本発明の別な目的は、浴室暖房乾燥機のカバーに設けられている受信機取付用の窓の高機能化を図ることにある。
【００１０】
【発明の開示】
請求項１に記載の浴室暖房乾燥機は、空気を加熱するための加熱器と、加熱器で加熱された空気を吹き出すための送風機と、送風機からカバーの吹き出し口へ温風を導くための送風路とを備えた浴室暖房乾燥機本体を浴室の天井部に設置し、浴室暖房乾燥機本体の下面を覆うようにして天井の下面にカバーを配置された浴室暖房乾燥機において、前記カバーに複数の開口部からなる空気吸込み口を設けると共に、それぞれの開口部の開閉状態を選択することによって前記空気吸込み口における開口比率の分布を調整可能としたものである。
【００１１】
また、請求項２に記載の浴室暖房乾燥機は、前記開口部は、破り取ることのできる薄肉部によって塞がれていることを特徴としている。また、請求項３に記載の浴室暖房乾燥機は、前記開口部を遮ることができる開閉可能な遮蔽板をそれぞれの前記開口部に設けて構成されていることを特徴としている。
【００１２】
請求項１〜３に記載した浴室暖房乾燥機では、空気吸込み口に設けた開口部の開閉状態を選択することができるようになっているので、空気吸込み口における開口比率の分布を調節することによって加熱器を通過する空気の風速、または加熱器に送られる空気量の分布が均一になるように調整することができ、加熱器の加熱能力を高めることができる。特に、浴室暖房乾燥機の小型化を図った場合でも、十分な温風加熱能力を発揮させることができる。しかも、空気吸込み口における開口比率の分布を調節することによって空気吸込み口から吸い込まれる空気量またはその分布を調整することができるので、浴室暖房乾燥機の構造や設置状況に応じて空気吸込み口の空気量またはその分布を調整することができる。
【００１３】
特に、請求項３に記載した浴室暖房乾燥機によれば、開閉可能な遮蔽板で開口部を部分的に覆うことによって空気吸込み口からの吸気量又はその分布を調整できるので、吸気調整手段の構造と調整作業が簡単になる。
【００２０】
【発明の実施の形態】
（第１の実施形態）
図２は本発明の一実施形態による浴室暖房乾燥機１１の断面図、図３は浴室暖房乾燥機１１の下面図である。この浴室暖房乾燥機１１は、主として浴室暖房乾燥機本体１２及びフロントカバー１３によって構成されており、浴室暖房乾燥機本体１２にあっては、下面開口したケーシング１４の内部にファン収納部１５と換気装置収納部１６とが一体に成形され、ケーシング１４の下端部外周にフランジ１７が周設されている。ファン収納部１５の下部には送風路本体１８が取り付けられており、送風路本体１８の外周には送風路摺動部１９がスライド自在に接続され、固定された送風路本体１８とスライド可能な送風路摺動部１９とによって伸縮自在な送風路２０が構成されている。
【００２１】
ファン収納部１５内には、クロスフローファンのような送風ファン２１が設置されており、ファン収納部１５の吸引側には２台の熱交換器２２が設けられている。空気を加熱するための手段としては電気ヒーターなどでもよいが、この実施形態では、給湯機から供給される温水を循環させ、温水と浴室から吸引した空気とを熱交換させて空気を加熱する熱交換器２２を用いている。
【００２２】
浴室暖房乾燥機は、浴室天井部に設置する関係で、かなりのコンパクト化が要求されるが、コンパクト化しても所定の温風発生能力は必要とされる。そのため、熱交換器２２は複数台のものを屈曲させるように配設してあり、熱交換器をコンパクトにしながら熱交換器２２の面積を大きくし、熱交換器２２の熱交換効率を大きくしている。
【００２３】
また、換気装置収納部１６内にはシロッコファン２３とモータ２４によって構成された換気装置２５が納められており、換気装置２５の吹き出し方向では、ケーシング１４に排気口２６が開口されている。
【００２４】
図４は上記送風路２０の構造を示す分解斜視図である。送風路本体１８及び送風路摺動部１９は、いずれも横に長い矩形状の開口を有しており、送風路本体１８が送風路摺動部１９内に挿入され、送風路摺動部１９が送風路本体１８に対して上下にスライド自在となっている。送風路摺動部１９には、図２に示すように風向調整用のルーバー板２７が設けられている。ルーバー板２７は、送風路摺動部１９内の中央部で軸支されており、図４に示すように送風路摺動部１９の外部に固定されたパルスステップモータ等からなるルーバーモータ２８で駆動されて傾き（角度）を変更される。
【００２５】
送風路本体１８の両端面からは、水平に支持片２９が延出されており、送風路摺動部１９の両端面にはガイドプレート３１が設けられている。支持片２９の下面にはガイド軸３０が垂設されている。一方、送風路摺動部１９側面のガイドプレート３１には、ガイド軸３０を通すことができる貫通孔３２が開口されており、圧縮バネ３３を通したガイド軸３０の下端部を貫通孔３２に摺動自在に挿通させ、ガイド軸３０の先端にネジ３５でワッシャ３４を固定している。この結果、圧縮バネ３３は支持片２９とガイドプレート３１との間に圧縮した状態で介在させられ、送風路摺動部１９は圧縮バネ３３の弾性によって下方へ突出付勢されると共に、送風路摺動部１９は上方へ力を加えられると圧縮バネ３３を押し縮めて上方へ移動する。
【００２６】
また、図４に示すように、送風路摺動部１９の一方側面の下部には取付プレート３６が設けられており、取付プレート３６の先端部には、ワイヤレスタイプのリモートコントローラ（図示せず）によって浴室暖房乾燥機１１のオン、オフや送風量、送風温度、送風方向（ルーバー板２７の角度）などを遠隔操作するためのリモコン受信機３７がネジや爪などによって取り付けられている。
【００２７】
図５は上記リモコン受信機３７の構造を示す断面図、図６はその分解斜視図であって、部品実装面を下にした受信回路基板４２をボックス３９内に納めて封止用樹脂５０で封止し、ボックス３９の下面にシート４７を貼り付けている。受信回路基板４２の片面には受信回路を構成するＩＣ等の回路部品４４が実装され、他方の面にはリモートコントローラからの赤外線信号を受信するための赤外線受光素子４５と信号着信用のブザー４３が実装されている。ボックス３９の下面では、少なくともブザー４３や赤外線受光素子４５に対向する箇所に窓３８が設けられており、窓３８の縁から内側へ向けて当該窓３８を囲むようにして筒状の樹脂止め部４０が延出されている。また、ボックス３９の内面には、樹脂止め部４０と同じ高さの基板支持部４１ａが突設されている。受信回路基板４２は、ブザー４３等が実装された面を下にして基板支持部４１ａ及び樹脂止め部４０の上に載置され、受信回路基板４２にあけられた通孔４６に通したビス４１ｂを基板支持部４１ａに螺入して固定されている。ボックス３９内に受信回路基板４２が固定された状態では、受信回路基板４２の下面に設けられているブザー４３と赤外線受光素子４５は、樹脂止め部４０内に納まっている。
【００２８】
樹脂止め部４０の上端が受信回路基板４２の下方に当接してボックス３９内を樹脂止め部４０の内外に仕切っているので、ボックス３９内に受信回路基板４２を取り付けた後、ボックス３９内に封止用樹脂５０をポッティングすると、図５のように封止用樹脂５０は樹脂止め部４０で止められ、ボックス３９内の樹脂止め部４０よりも外側にのみ充填される。よって、ブザー４３及び赤外線受光素子４５以外の回路部品４４は、封止用樹脂５０内に埋め込まれ、受信回路基板４２上に実装されている受信回路が防水性と耐湿性を付与される。一方、ブザー４３と赤外線受光素子４５は、封止用樹脂５０を充填しても封止用樹脂５０内に埋まらず、樹脂止め部４０内でボックス３９下面に露出しているので、リモートコントローラによって下方から投射された赤外線の信号を赤外線受光素子４５によって鋭敏にとらえることができる。また、リモートコントローラからの信号を着信したことを知らせるブザー４３の音圧も高くなるので、浴室からブザー４３の音が聞こえ易くなる。
【００２９】
さらに、ボックス３９の下面は、シート４７によって覆うことにより、浴室内から直接ブザー４３や赤外線受光素子４５が見えないようにしている。このシート４７は、赤外線や音を通し易い材質のものを用いてもよく、あるいは、ブザー４３に対向させて複数の小孔からなる透音部４８を設け、赤外線受光素子４５に対向させて赤外線の透過する（例えば、透明ないし半透明の）赤外線透過部４９を設けている。
【００３０】
一方、フロントカバー１３は、図２又は図３に示すように、浴室暖房乾燥機本体１２の送風路２０下端面と対向させて温風吹き出し口５１が設けられ、リモコン受信機３７と対向させてリモコン受信機露出窓５５が設けられている。この温風吹き出し口５１は、送風路２０の下面開口とほぼ一致するように形成されている。さらに、温風吹き出し口５１と隣接して一方には空気を吸い込むための空気吸込み口５２が、他方には換気用吸気口５３が設けられている。空気吸込み口５２はグリル状に形成されており、その上面には着脱自在にフィルタ５４を取り付けられるようになっている。
【００３１】
しかして、この浴室暖房乾燥機１１によれば、換気装置２５を運転することにより、排気口２６に接続された排気ダクトを通じて浴室内の湿気を屋外へ排出することができる。
【００３２】
また、送風ファン２１を運転すると、フロントカバー１３の空気吸込み口５２から吸い込まれた空気が、熱交換器２２によって加熱され、熱交換器２２によって加熱された温風が送風路２０を通ってフロントカバー１３の温風吹き出し口５１から吹き出される。従って、入浴時または入浴直前に送風ファン２１を運転して温風吹き出し口５１から浴室内に温風を吐出させることにより、浴室内の暖房を行うことができる。
【００３３】
また、浴室暖房乾燥機１１の下方に衣類等の洗濯物を吊り下げておけば、浴室暖房乾燥機１１の温風吹き出し口５１から吹き出された温風によって衣類等を乾燥させることができる。
【００３４】
ここで、フロントカバー１３の空気吸込み口５２は、図７に示すように、開口幅の異なる複数の開口部５２ａを配列し、熱交換器２２に空気が送られにくい領域では空気吸込み口５２の開口幅（開口比率）を大きくし、熱交換器２２に空気が送られ易い領域では空気吸込み口５２の開口幅（開口比率）を小さくすることにより、熱交換器２２に一様に空気が送られるようにしている。例えば、図２又は図７のように、２台の熱交換器２２が屈曲するようにして斜めに配置されている場合には、下部には空気が流れ易い（空気の流速が大きい）が、上部には空気が流れにくい（空気の流速が小さい）ので、熱交換器２２の下部に対応する箇所では空気吸込み口５２の開口比率を比較的小さくして空気抵抗を大きくし、熱交換器２２の上部に対応する箇所では空気吸込み口５２の開口比率を比較的大きくして空気抵抗を小さくし、これによって熱交換器２２の全体を空気が均一に通過するようにし、熱交換器２２の熱交換能力を高めている。よって、浴室暖房乾燥機１１を小型化した場合にも、高い温風発生能力を発揮させることができる。
【００３５】
また、この浴室暖房乾燥機１１では、送風路２０が伸縮できるようになっていて送風路摺動部１９が温風吹き出し口５１に向けて付勢されているので、施工状態によって浴室暖房乾燥機本体１２とフロントカバー１３との間の距離が異なっても、送風路２０とフロントカバー１３の温風吹き出し口５１の縁との間に隙間が生じず、送風路２０からの風損を防止して騒音や温風吹き出し量の不足などを低減することができる。
【００３６】
さらに、送風路２０には、風向調整用のルーバー板２７を設けているので、衣類等の洗濯物の位置や入浴者の位置に応じてルーバー板２７を駆動することにより、温風の吹き出し方向もリモートコントローラによって自由に変更することができる。
【００３７】
なお、浴室暖房乾燥機１１を操作するのに赤外線や電波を用いた無線方式のリモートコントローラを用いず、浴室暖房乾燥機１１とリモートコントローラとを信号線で結んでもよい。このとき、浴室暖房乾燥機１１にはリモコン受信機３７が必要なくなるので、フロントカバー１３のリモコン受信機露出窓５５には、図８（ａ）（ｂ）に示すように、閉止板（化粧蓋）５６を取り付けて塞いでおけばよい。図７の例では、閉止板５６を爪５７でリモコン受信機露出窓５５の縁に引っ掛けて嵌め殺しにしているが、ネジ止めしたり、弾性的に嵌合させるようにしていてもよい。このように無線方式のリモートコントローラを用いない場合には、リモコン受信機露出窓を閉止板で覆える要にすることで、リモコン受信機露出窓が目立ちにくくなる。また、無線方式のリモートコントローラを用いる場合と、有線方式のリモートコントローラを用いる場合とでフロントカバー１３を共用することができ、コストを抑えることができる。
【００３８】
また、図７に示したフロントカバー１３の空気吸込み口５２では、空気吸込み口５２の開口部５２ａの幅を変化させることによって空気吸込み口５２の開口比率を変化させているが、空気吸込み口５２の開口比率（＝開口部の開口幅／当該開口部に隣接する桟の中心間の距離）を変化させる方法はこれに限るものではない。例えば、図９（ａ）に示すように、開口部５２ａの幅ａは一定にして開口部５２ａの間の桟５２ｂの幅ｂを変化させてもよい。また、図９（ｂ）に示すように、開口部５２ａまたは桟５２ｂの中心間の距離ｃを一定にして開口部５２ａの幅ａと桟５２ｂの幅ｂの双方を変化させてもよい。
【００３９】
（第２の実施形態）
第１の実施形態で説明した浴室暖房乾燥機１１では、空気吸込み口５２の不均一な開口比率は予め決められており、施工現場で調整したり変更したりすることはできない。次に述べる実施形態は、施工現場において、空気吸込み口５２の開口比率を自由に設定できるようにしたものである。
【００４０】
図１０に示す空気吸込み口５２では、薄肉部６１によって塞がれた複数の開口部５２ａを合成樹脂製のフロントカバー１３に設けている。薄肉部６１が破られていない箇所では、下面からフロントカバー１３を見上げても開口部５２ａは見えないが、図１１に示すように、必要に応じて薄肉部６１を破り取ることによって任意の位置に開口部５２ａをあけることができ、浴室暖房乾燥機の設置現場でその状況に応じて適切な分布で空気吸込み口５２の開口部５２ａを設けることができる。また、開口部５２ａをあけていない領域では、薄肉部６１によって開口部５２ａが隠されるので、浴室暖房乾燥機の外観が損なわれることがない。
【００４１】
（第３の実施形態）
また、図１２に示す実施形態では、フロントカバー１３の空気吸込み口５２に複数枚の遮蔽板６２を並べて各遮蔽板６２を回転自在に軸支したものである。各遮蔽板６２は、垂直に立てて空気吸込み口５２の開口部５２ａを開き、水平に寝かして空気吸込み口５２の開口部５２ａを閉じることができるようになっており、すべての遮蔽板６２を閉じると空気吸込み口５２を塞ぐことができる。しかして、この実施形態でも、図１３に示すように、浴室暖房乾燥機１１の構造や設置場所に応じて適当な遮蔽板６２を開閉し、熱交換器２２に均一に空気が供給されるように調整することができる。
【００４８】
【発明の効果】
請求項１〜３に記載した浴室暖房乾燥機によれば、空気吸込み口における開口比率の分布を調節することによって加熱器を通過する空気の風速、または加熱器に送られる空気量の分布が均一になるように調整することができるので、加熱器の加熱能力を高めることができる。特に、浴室暖房乾燥機の小型化を図った場合でも、十分な温風加熱能力を発揮させることができる。しかも、空気吸込み口における開口比率の分布を調節することによって空気吸込み口から吸い込まれる空気量またはその分布を調整することができるので、浴室暖房乾燥機の構造や設置状況に応じて空気吸込み口の空気量またはその分布を調整することができる。
【００４９】
さらに、請求項３に記載した浴室暖房乾燥機によれば、開閉可能な遮蔽板で開口部を部分的に覆うことによって空気吸込み口からの吸気量又はその分布を調整できるので、吸気調整手段の構造と調整作業が簡単になる。
【図面の簡単な説明】
【図１】  従来の浴室暖房乾燥機の断面図である。
【図２】  本発明の一実施形態による浴室暖房乾燥機の断面図である。
【図３】  同上の浴室暖房乾燥機の下面図である。
【図４】  同上の浴室暖房乾燥機における送風路の一部を示す分解斜視図である。
【図５】  同上の浴室暖房乾燥機に用いられているリモコン受信機の構造を示す断面図である。
【図６】  同上のリモコン受信機の分解斜視図である。
【図７】  図２の浴室暖房乾燥機における空気吸込み口の構造を拡大して示す断面図である。
【図８】  （ａ）はリモコン受信機露出窓に閉止板を取り付けられたフロントカバーを示す一部破断した下面図、（ｂ）は（ａ）の一部を拡大して示した断面図である。
【図９】  （ａ）（ｂ）はいずれも空気吸込み口の別な構造を示す拡大断面図である。
【図１０】  本発明の別な実施形態による浴室暖房乾燥機の空気吸込み口の構造を拡大して示す部分断面図である。
【図１１】  同上の実施形態において、空気吸込み口を部分的に開口させた状態を示す断面図である。
【図１２】  本発明のさらに別な実施形態による浴室暖房乾燥機の空気吸込み口の構造を拡大して示す部分断面図である。
【図１３】  同上の実施形態において、空気吸込み口を部分的に開口させた状態を示す断面図である。
【符号の説明】
１３      フロントカバー
２０      送風路
２１      送風ファン
２２      熱交換器
３７      リモコン受信機
４０      樹脂止め部
４２      受信回路基板
４３      ブザー
４５      赤外線受光素子
５０      封止用樹脂
５１      温風吹き出し口
５２      空気吸込み口
５２ａ      開口部
５２ｂ      桟
５５      リモコン受信機露出窓
５６      閉止板
６１      薄肉部
６２      遮蔽板
【図１】
0003674462.tif 000002
【図２】
0003674462.tif 000003
【図３】
0003674462.tif 000004
【図４】
0003674462.tif 000005
【図５】
0003674462.tif 000006
【図６】
0003674462.tif 000007
【図７】
0003674462.tif 000008
【図８】
0003674462.tif 000009
【図９】
0003674462.tif 000010
【図１０】
0003674462.tif 000011
【図１１】
0003674462.tif 000012
【図１２】
0003674462.tif 000013
【図１３】
0003674462.tif 000014